(57)【特許請求の範囲】
【請求項１】
人体の所定部位を覆って密閉するための防水カバーであって、
前記所定部位を覆って密閉し、前記所定部位付近に密着すべく伸縮性を有し且つ防水性を有する筒状の外套部材と、
前記外套部材より硬質に構成され、且つ前記所定部位が挿通可能に前記外套部材内に挿入される筒状の内套部材とを備え、
前記内套部材は、該内套部材の外周面の端部に、半径方向外方に突出するフランジ部分を有し、
前記外套部材の端部は、前記所定部位付近にて前記人体に密着すべく前記内套部材より小径に形成され、且つ前記内套部材の前記フランジ部分を超えて折り返せるようになっている、
防水カバー。
【請求項２】
前記外套部材の両端部は、記前記所定部位付近両側にて前記人体に密着すべく前記内套部材より小径に形成され、
前記外套部材は、前記外套部材の両端部を前記内套部材に折り返して被せるような伸縮性を有している、請求項１に記載の防水カバー。
【請求項３】
前記内套部材は、該内套部材の外周面の両端部に半径方向外方に突出するフランジ部分を有し、
前記外套部材は、前記フランジ部分の各々に被せられている、請求項２に記載の防水カバー。
【請求項４】
前記外套部材は、２つの外套部分を有し、
前記２つの外套部分は、前記内套部材の両端部に密着させて夫々配置され、
前記内套部材は、防水性を有している、請求項１乃至３の何れか１つに記載の防水カバー。
【請求項５】
前記外套部材の一端部は、前記所定部位付近にて前記人体に密着すべく前記内套部材より小径に形成され、
前記外套部材は、前記外套部材の一端部を前記内套部材に折り返して被せるような伸縮性を有している、請求項１に記載の防水カバー。
【請求項６】
前記内套部材は、該内套部材の外周面に半径方向外方に突出するフランジ部分を有し、
前記外套部材は、前記フランジ部分に覆うように前記内套部材に被せられている、請求項５に記載の防水カバー。
【発明の詳細な説明】
【技術分野】
【０００１】
本発明は、留置針の穿刺部、術部、及び患部等が水等の液体に触れないように保護するための防水カバーに関する。
【背景技術】
【０００２】
輸液ライン等を使って輸液を血管等に投与する場合、留置針等を腕に穿刺した後、留置針に輸液ラインを接続し、輸液ライン及び留置針を介して血管内に輸液を投与する。輸液を長期間にわたって血管に投与する場合、輸液ラインは、腕等に取付けられたままの状態となる。このような状態で入浴を行う場合、穿刺部に水等がかかると穿刺部から体内に雑菌が入るおそれがある。術部及び患部（主に傷）もまた、同様に、入浴時に水がかかるとそこから体内に雑菌が入るおそれがある。そのような入浴時における雑菌の侵入を防ぐべく、穿刺部等を防水カバー等で覆うことが考えられる。腕用の防水カバーとしては、例えば特許文献１のような防水カバーが知られている。
【０００３】
特許文献１の防水カバーは、大略円筒状に形成され、両端部分の環状締付部が本体部分より細径に形成されている。また、本体部分の内周面には、円筒状の吸湿部材が配設されている。吸湿部材は、吸湿性の優れた素材によって構成され、且つ本体部分に合せて伸縮することができるように構成されている。これにより、吸湿部材によって腕や足の動きが拘束されることを防いでいる。
【先行技術文献】
【特許文献】
【０００４】
【特許文献１】実用新案登録第３０３８３６５号公報
【発明の概要】
【発明が解決しようとする課題】
【０００５】
特許文献１の防水カバーでは、腕や足の動きが拘束されないようにするため吸湿部材が本体部分に合せて伸縮するように構成されているが、逆に腕や足を挿入する際、屈曲等して腕や足が挿入しにくい。また、吸湿部材が不織布等の柔らかい素材で構成されているので、防水カバーが何かに当たった場合、穿刺部、術部及び患部を保護することができない。
【０００６】
そこで本発明は、被覆すべく人体の所定部位を挿入しやすく且つ前記所定部位を覆いながら保護することができる防水カバーを提供することを目的としている。
【課題を解決するための手段】
【０００７】
本発明の防水カバーは、人体の所定部位を覆って密閉するための防水カバーであって、前記所定部位を覆って密閉し、前記所定部位付近に密着すべく伸縮性を有し且つ防水性を有する筒状の外套部材と、前記カバー部材より硬質に構成され、且つ前記所定部位が挿通可能に前記外套部材内に挿入される筒状の内套部材とを備え、前記内套部材は、該内套部材の外周面の端部に、半径方向外方に突出するフランジ部分を有し、前記外套部材の端部は、前記所定部位付近にて前記人体に密着すべく前記内套部材より小径に形成され、且つ前記内套部材の前記フランジ部分を超えて折り返せるようになっているものである。
【０００８】
本発明に従えば、内套部材が硬質な部材で変形しにくいので、形状が安定しており、人体の所定部位を挿入しやすく装着しやすい。また、硬質の内套部材によって所定部位を覆うことができるので、防水カバーが何かしらのものに接触してもそれが所定部位まで達することを防ぐことができる。それ故、所定部位を密閉する外套部材と共に、所定部位を接触等及び液体（特に水）から保護することができる。
【発明の効果】
【０００９】
本発明によれば、被覆すべく人体の所定部位を挿入しやすく且つ前記所定部位を覆いながら保護することができる。
【図面の簡単な説明】
【００１０】
【図１】本件発明に係る第１実施形態の防水カバー示す断面図である。
【図２】図１の防水カバーの外套カバーの両端部を折り返した状態を示す図である。
【図３】本件発明に係る第２実施形態の防水カバーを示す断面図である。
【図４】その他の防水カバーを示す断面図である。
【発明を実施するための形態】
【００１１】
以下、本発明に係る第１及び第２実施形態の防水カバー１，１Ａについて図面を参照して説明する。なお、以下の説明で用いる方向の概念は、説明する上で便宜上使用するものであって、発明の構成の向き等をその方向に限定するものではない。また、以下に説明する防水カバー１，１Ａは、本発明の一実施形態に過ぎない。従って、本発明は実施形態に限定されず、発明の趣旨を逸脱しない範囲で追加、削除、変更が可能である。
【００１２】
＜第１実施形態＞
図１に示す防水カバー（以下、単に「防水カバー」という）１は、図示しない留置針等を穿刺した穿刺部分、傷口等の患部、及び術部等の所定部位を水等の液体（特に水）から保護するものである。防水カバー１は、例えば腕２に装着され、腕２にある穿刺部分付近を覆うべく使用されている。
【００１３】
更に詳細に説明すると、防水カバー１は、外套カバー体１１と、内套体１２とを有している。外套部材である外套カバー体１１は、防水性を有し且つ合成ゴムより伸縮性を有する材料、例えばクリスタルゲル（商標）、タフシロンゲル（商標）、及びメディピュールゲル（商標）等のゲル材料から成り、大略円筒状に形成されている。なお、外套カバー体１１の外形は、必ずしも円筒状に限定されず、断面多角形の筒状部材であってもよい。
【００１４】
このような形状を有する外套カバー体１１は、その軸線方向の両端部分１１ａ，１１ａがそれらの間にある中間部分１１ｂより小径に形成されている。また、両端部分１１ａの内周面の周長は、装着される腕２の周径より小さいものが選定される。それ故、外套カバー体１１を腕に装着した際に両端部分１１ａ，１１ａが装着される腕２に密着される。これにより、外套カバー体１１の両端から外套カバー体１１中に水等の液体が入り込むことを防がれ、外套カバー体１１内が密閉される。このように構成されている外套カバー体１１の中には、内套体１２が挿通されている。
【００１５】
内套部材である内套体１２は、ＰＥＴやＰＴＦＥ等の硬質の合成樹脂から成る筒状の部材であり、外套カバー体１１より硬質であって且つ伸縮性を有しない（即ち、変形しない）ようになっている。内套体１２は、本実施形態において射出成形等によって形成される成型部品であるが、合成樹脂から成る板状部材を円筒状に丸めて形成してもよい。また、内套体１２は、本実施形態において大略円筒状になっているが、必ずしも大略円筒状である必要はなく、外套カバー体１１と同様に断面多角形の筒状部材であってもよい。
【００１６】
更に詳細に説明すると、内套体１２は、本体部１２ａと、２つのフランジ部１２ｂ、１２ｂを有している。本体部１２ａは、本実施形態において大略円筒状に形成されている。本体部１２ａの軸線方向の長さは、外套カバー体１１の中間部分１１ｂのそれより短く、またその外周面は、挿通前の状態において外套カバー体１１の中間部分１１ｂの内周面より大径に形成されている。このような形状を有する本体部１２ａは、外套カバー体１１を半径方向外方に伸張させた状態で外套カバー体１１の中間部分１１ｂ内に配置されている。それ故、外套カバー体１１の収縮力によって本体部１２ａの外周面に外套カバー体１１が圧接され、外套カバー体１１内で内套体１２をしっかりと保持するようになっている。また、外套カバー体１１の両端部分１１ａ，１１ａは、内套体１２の軸線方向外側に夫々位置しており、腕２に装着中に外套カバー体１１内で内套体１２が動いて外套カバー体１１の端部分１１ａが拡がってしまい、端部分１１ａから液体が侵入することを防ぐようになっている。
【００１７】
また、防水カバー１を腕２に装着する際、外套カバー体１１は、図２に示すように両端部分１１ａ，１１ａを中間部分１１ｂに向かって折り返すことができるようになっている。即ち、外套カバー体１１は、前述の通り両端部分１１ａ，１１ａを折り返せるような伸縮性を有している。また、内套体１２の本体部１２ａの両端部分の各々には、折り返された両端部分１１ａ，１１ａが不意に戻らないように、２つのフランジ部１２ｂ，１２ｂが形成されている。
【００１８】
フランジ部１２ｂ，１２ｂは、内套体１２の外周面から半径方向外方に突出しており、その周方向全周にわたって形成されている。なお、フランジ部１２ｂ，１２ｂは、必ずしも周方向全周にわたって外周面に形成されている必要はなく、突起部分を周方向に間隔を空けて配置することによって構成されてもよい。このように形成されているフランジ部１２ｂは、外套カバー体１１の中間部分１１ｂと共に半径方向外方に突出する引掛り部分１３，１３を形成し、外套カバー体１１の両端部分１１ａ，１１ａが折り返された際にその両端部分１１ａ，１１ａが引掛り部分１３，１３に引っ掛かって戻らないようになっている。これにより、防水カバー１を腕２に装着する際、折り返した両端部分１１ａ，１１ａを押えておく必要がなく、防水カバー１の腕２への装着を容易にすることができる。
【００１９】
このように構成される防水カバー１は、被覆すべき腕２の周径に合ったものが選定されて、腕２の穿刺部位付近に装着される。即ち、腕２の周径より大きい周径の内套体１２と、腕２の周径より若干小さい周径で形成される両端部分１１ａ，１１ａを有する外套カバー体１１とを備える防水カバー１が選定され、腕２の穿刺部位付近に装着される。このように選定される防水カバー１は、基本的に、図１に示すように外套カバー体１１の両端部分１１ａ，１１ａが内套体１２の軸線方向両側に夫々降ろされた状態にある。この状態から、図２に示すように両端部分１１ａ，１１ａを拡径して折り返し、内套体１２の本体部１２ａ（又は、図示しないがフランジ部１２ｂ，１２ｂの各々）に被せる。これにより、内套体１２の開口１２ｃ，１２ｃが表出するので、表出した開口１２ｃ，１２ｃから内套体１２の中に腕２を挿入させる。挿入した後、腕２の穿刺部位まで防水カバー１を移動させる、即ち内套体１２によって穿刺部位が覆われるまで移動させる。更に、移動させた後、折り返した外套カバー体１１の両端部分１１ａ，１１ａを内套体１２の外周面から降ろして元に戻す。両端部分１１ａ，１１ａは、腕２の周径より小さい周径のものが選定されているので、戻すことによって両端部分１１ａ，１１ａが腕２に圧接されて密着し、外套カバー体１１内が密閉される。これにより、腕２の穿刺部位が防水カバー１によって密閉され、穿刺部位を水等の液体から保護することができる。
【００２０】
また、防水カバー１を取外す際、装着する場合と逆の手順で防水カバー１を取外すことができる。即ち、外套カバー体１１の両端部分１１ａ，１１ａを折り返して内套体１２の外周面に被せ、その後防水カバー１を腕２から抜く。このようにして、防水カバー１を腕２から容易に抜くことができる。
【００２１】
このように防水カバー１は、腕２の穿刺部位に硬質の内套体１２を被せ、更に内套体１２を外套カバー体１１で覆って穿刺部位を密封することができる。これにより、防水カバー１が何かしらのものに接触しても硬質の内套体１２によってそれが穿刺部位まで達することを防ぐことができる。それ故、内套体１２は、外套カバー体１１と共に穿刺部位を接触及び水等の液体から保護することができる。また、外套カバー体１１の中間部分１１ｂを内套体１２の外周面に圧接させて密着させているので、中間部分１１ｂが損傷しても、損傷部分から水等の液体が入り込むことを抑制することができる。
【００２２】
また、従来技術の防水カバーは、合成ゴム等の変形しやすい材料で構成されているので、防水カバーを真直ぐに保つべく保持する必要があり、挿入しにくい。即ち、従来の防水カバーでは、環状取付部を吸湿部材の方向へ折り曲げると、吸湿部材が環状取付部の締め付けによって変形し、人体の部位を挿入しにくくなる可能性がある。他方、防水カバー１では、内套体１２が硬質な部材で変形しにくいので、形状が安定しており、腕２を挿入しやすく装着しやすい。
【００２３】
更に、従来技術の防水カバーの場合、合成ゴム等の摩擦抵抗が大きい部材によって構成されているので、腕や脚等に装着する際に滑らせて移動させることが難しい。他方、防水カバー１では、外套カバー体１１が伸縮性を有しているので、外套カバー体１１の両端部分１１ａ，１１ａを折り返して内套体１２の外周面上に載せることができ、その状態で腕２に挿入して穿刺部位まで移動させることができる。即ち、装着中において外套カバー体１１と腕との接触を避けることができる。それ故、外套カバー体１１に比べて摩擦抵抗が小さい内套体１２を用いることによって、腕の上で内套体１２を滑らせるように穿刺部位まで移動させることができる。これにより、防水カバー１を腕２に挿入して穿刺部位まで移動させる装着作業を容易にすることができる。他方、その後に外套カバー体１１の両端部分１１ａ，１１ａを元に戻すことによって、両端部分１１ａ，１１ａと腕２との密着性を確保することができ、装着容易性を向上しつつ防水性を確保することができる。
【００２４】
また、防水カバー１では、内套体１２にフランジ部１２ｂ，１２ｂを形成することによって、前述の通り装着中における外套カバー体１１の両端部分１１ａ，１１ａの戻りを防ぐことができると共に、フランジ部１２ｂ，１２ｂが内套体１２の両端部に半径方向に拡径する拡径部を形成することができる。外套カバー体１１の両端部分１１ａ，１１ａが中間部分１１ｂに比べて縮径しているので、内套体１２の拡径部によって外套カバー体１１から内套体１２が抜けることを抑制することができる。
【００２５】
＜第２実施形態＞
第２実施形態の防水カバー１Ａは、第１実施形態の防水カバー１Ａと構成が類似している。以下では、第２実施形態の防水カバー１Ａの構成について第１実施形態の防水カバー１Ａと異なる点について主に説明し、同一の構成については同一の符号を付して図示及び説明を省略する。
【００２６】
第２実施形態の防水カバー１Ａでは、図４に示すように外套カバー体１１Ａは、２つの外套カバー部分１４，１５を有している。２つの外套カバー部分１４，１５は、第１実施形態の外套カバー体１１と同様に、防水性を有し且つ合成ゴムより伸縮性を有する材料、例えばクリスタルゲル（商標）、タフシロンゲル（商標）、及びメディピュールゲル（商標）等のゲル材料から成り、大略円筒状に形成されている。また、２つの外套カバー部分１４，１５の各々は、その軸線方向の一端部分１４ａ，１５ａが残余の部分より小径に形成されており、一端部分１４ａ，１５ａの内周面の周長は、装着される腕２の周径より小さいものが選定される。
【００２７】
更に、２つの外套カバー部分１４，１５の軸線方向の他端側部分１４ｂ，１５ｂは、内套体１２の両端部の各々から別々に外装され、内套体１２の各端部から軸線方向中央部分付近まで覆っている。本実施形態では、２つの外套カバー部分１４，１５が軸線方向に隙間をあけて内套体１２に外装されているが、図４の二点鎖線で示すように２つの外套カバー部分１４，１５の他端部１４ｃ、１５ｃ同士を重ね合わせるように配置してもよい。
【００２８】
また、他端側部分１４ｂ，１５ｂの内径は、内套体１２の外径に比べて小さく形成されており、他端側部分１４ｂ，１５ｂは、半径方向外方に伸張させた状態で内套体１２における本体部１２ａの各端部に被せられている。これにより、他端側部分１４ｂ，１５ｂの収縮力によって本体部１２ａの外周面に他端側部分１４ｂ，１５ｂが圧接され、２つの外套カバー部分１４，１５を内套体１２にしっかりと取付けることができる。また、２つの外套カバー部分１４，１５の一端部分１４ａ，１５ａは、内套体１２の軸線方向外側に夫々位置しており、腕２に圧接されている。他端側部分１４ｂ，１５ｂの動きを抑制することによって、腕２に装着中に外套カバー体１１Ａ内で内套体１２が動いて外套カバー体１１Ａの端部分１１ａが拡がってしまい、端部分１１ａから液体が侵入することを防ぐことができる。
【００２９】
なお、図４の二点鎖線で示すように２つの外套カバー部分１４，１５の他端部１４ｃ、１５ｃ同士を重ね合わせるように配置すると、内套体１２全体を外套カバー体１１Ａに覆われるので、更に液体の侵入を抑えることができる。また、重ね合わせることによって、内套体１２に対して２つの外套カバー部分１４，１５がずれて外れてしまうことを更に抑制することができる。
【００３０】
このように構成される防水カバー１Ａは、第１実施形態の防水カバー１と同様の方法で身体の所定部位、例えば腕２の穿刺部位に装着することができる。即ち、まず、外套カバー体１１Ａの両端部分、即ち２つの外套カバー部分１４，１５の一端部分１４ａ，１５ａを折り返して内套体１２の外周面に載せ、内套体１２の開口１２ｃ，１２ｃを表出させる。次に開口１２ｃ，１２ｃから内套体１２の中に腕２を挿入させ、腕２の穿刺部位まで防水カバー１Ａを移動させる。移動させた後、折り返した一端部分１４ａ，１５ａを内套体１２の外周面から降ろして元に戻して一端部分１４ａ，１５ａを腕２に圧接されて密着させ、外套カバー体１１Ａ内を密閉させる。このようにして防水カバー１Ａは、腕２の穿刺部位を密閉して穿刺部位を水等の液体から保護することができる。
【００３１】
防水カバー１Ａでは、外套カバー体１１Ａが２つの外套カバー部分１４，１５によって別々に構成されているので、穿刺部分付近の前後の腕２の周径に合せて外套カバー部分１４，１５の周長（又は内径）を別々に選定することができる。これにより、腕２の周径に適した外套カバー体１１Ａを選定することができ、外套カバー体１１Ａと腕２との間の隙間をより小さくすることができ、防水カバー１Ａの防水性を高めることができる。
【００３２】
その他、防水カバー１Ａは、第１実施形態の防水カバー１と同様の作用効果を奏する。
【００３３】
＜その他の実施形態＞
第１及び第２実施形態の防水カバー１，１Ａでは、外套カバー体１１，１１Ａの中間部分１１ｂが両端部分１１ａ，１１ａより大径に形成されているが、必ずしもそのような形状である必要はない。例えば、外套カバー体１１，１１Ａ全体が略同径の大略円筒形状の部材であってもよい。この場合、外套カバー体１１，１１Ａが伸縮するので、内套体１２を中間部分１１ｂに挿入して配置することができ、第１及び第２実施形態の防水カバー１，１Ａと同様の作用効果を得ることができる。
【００３４】
更に、第１及び第２実施形態の防水カバー１，１Ａでは、腕２の穿刺部位を保護すべく使用される例を示したが、腕２の穿刺部位に限定されず、腕２の傷口等の患部、及び術部等の所定部位に使用されてもよい。また、防水カバー１，１Ａが使用される箇所は、腕２に限定されず、脚及び指等の身体部位であってもよい。なお、指先３に使用される場合、防水カバー１Ｂを以下のような形状にすることが考えられる。
【００３５】
即ち、防水カバー１Ｂは、外套カバー体１１Ｂと、内套体１２Ｂとを有し、外套カバー体１１Ｂ及び内套体１２Ｂでは、共に軸線方向一端側が指先３の形状に合せてドーム状に形成されて塞がれている。また、外套カバー体１１Ｂの軸線方向の他端部分１１ｄが中間部分１１ｂに比べて小径に形成され、内套体１２Ｂの本体部１２ｄの軸線方向他端部にはフランジ部１２ｂが形成されている。内套体１２Ｂは、外套カバー体１１Ｂの中間部分１１ｂに入れられており、外套カバー体１１Ｂの軸線方向の他端部分１１ｄが内套体１２Ｂから軸線方向外側に位置している。その他端部分１１ｄを折り返して内套体１２Ｂの外周面に載せて内套体１２Ｂの開口１２ｃを表出させ、開口１２ｃから指先３が入れられる。その後、他端部分１１ｄを元に戻すことによって指先３を水等の液体から保護しつつ、指先が物等に接触することからも保護することができる。
【００３６】
また、第１及び第２実施形態の防水カバー１、１Ａでは、主に穿刺部分、傷口等の患部、及び術部等の所定部位を水等の液体（特に水）から保護するため、即ち医療用として用いられることが説明されているが、必ずしも医療用に限定されない。即ち、前述するような穿刺部分、傷口等の患部、及び術部等の所定部位がないところに使用されてもよく、作業時に腕等の人体の所定部位を液体から保護するために使用してもよい。また、例えば酸性の液体等の特定の液体に対して耐性が高い材料を外套カバー本体１１，１１Ａに用いることによって、特定の液体に対して耐性の高い防水カバーを製造することができる。
【符号の説明】
【００３７】
１，１Ａ，１Ｂ  防水カバー
１１，１１Ｂ  外套カバー体
１１ａ  両端部分
１１ｄ  他端部分
１２，１２Ｂ  内套体
１４  外套カバー部分
１４ａ  一端部分
１５  外套カバー部分
１５ａ  一端部分
【図１】
0006716975.tif 000002
【図２】
0006716975.tif 000003
【図３】
0006716975.tif 000004
【図４】
0006716975.tif 000005